(57)【要約】【課題】監視作業の軽減と作業者の疲労を減少させる処理自動停止装置を得る。【解決手段】供給量を設定する設定部と流量計４からの計測流量が設定量に達すると供給ポンプ３と開閉バルブ５に供給停止信号を出力するバッチ処理部とバッチ処理開始信号を出力するスタート操作部とから構成したバッチ処理操作制御ユニット１１をカウンタケース１０に内蔵し、これをスタート信号入力後に流量計の計測信号が設定時間内に入ると、正常と判定して液体の供給を継続させ、設定時間内に入らないと異常と判定して、供給ポンプ３及び開閉バルブ５に信号を夫々出力して供給中の液体の供給を停止する処理自動停止装置であるので、自動的に供給経路内の液体の供給を停止させることができ、経路内の圧力の上昇が低減される。また、流量計の故障等により計測信号が出力されな状態で液体が供給されることがない。更に、充填容器からの液体の溢れを未然に防止できる。【選択図】    図１
2004265098.tif 000002
【特許請求の範囲】
【請求項１】
あらかじめ設定された所定量の液体を得るために供給量を流量計（４）で計測し、この計測信号を演算処理するバッチ処理システムにおいて、供給量を設定する設定部と流量計からの計測信号による計測流量が設定入力された量に達すると、供給ポンプ（３）と開閉バルブ（５）に供給停止信号を出力するバッチ処理部とこのバッチ処理部にバッチ処理開始信号を出力するスタート操作部とから構成したバッチ処理操作制御ユニット（１１）をカウンタケース（１０）に内蔵し、このバッチ処理操作制御ユニットをスタート信号入力後に流量計からの計測信号が設定時間内に入ると、正常と判定して液体の供給を継続させ、設定時間内に入らないと異常と判定して、供給ポンプ及び開閉バルブに停止信号及び閉鎖信号を夫々出力するよう構成し、供給中の液体の供給を停止するようにしたことを特徴とする処理自動停止装置。
【請求項２】
バッチ処理操作制御ユニットは流量計からの計測信号が設定時間内に入らずに、第一段階で計測信号未到来と判定されると、第二段階に移行し、更に、第二段階においても計測信号が入力されない時に初めて異常と判定して異常信号を出力する構成であることを特徴とする請求項１記載の処理自動停止装置。
【発明の詳細な説明】
【０００１】
【発明の属する技術分野】
本発明は、あらかじめ設定された所定量の液体を得るために供給量を演算するバッチ処理システムにおいて、液体供給開始時から供給終了までの間に流量計からの計測信号が設定時間内に入らないと液体の供給を停止させるよう制御する処理自動停止装置に関する。
【０００２】
【従来の技術】
従来からあらかじめ設定された所定量の液体を供給したりあるいは主液体に対して副液体を所定の混合比で混合する場合、一般的にはバッチ処理システムが採用されている。このようなバッチ処理システムには図４及び図５に示すような計測処理動作を行うものがあり、これはバッチ処理時において停電が発生した場合にこれまでの液体供給流量を記憶するようにした構成を付加したものである。これは具体的には特開２００１−１８８６０１号公報に示すものであり、供給電源１０８に接続されているバッチ処理操作制御ユニット１１１に停電時の設定値及び供給量のトータル積算値を順次記憶する記憶部１１２を内蔵し、これにバッチ処理信号の出力途中であることを記憶させ、電源復帰時にバッチ処理信号の出力途中であったことを示す信号出力を出力表示灯１１６に電気信号として与える停電停止表示装置であって、バッチ処理動作中に停電状態になると、バッチ処理操作制御ユニット１１１からの制御信号出力（積算値・設定値・出力途中であるとの制御信号）が記憶される。この記憶された制御信号出力は停電状態が復帰するまで保持されており、この時点でバッチ処理動作は中断されるようになっている。
【０００３】
一方、供給電源１０８が復帰すると同時に制御信号の積算値・設定値が表示されるとともにバッチ処理出力の出力途中であったとの制御信号が出力されて出力表示状態を表示する出力表示灯１１６が点滅表示される。この後、スタート／ストップスイッチ（図示せず）を入れることによりバッチ処理動作が再開されるようになっている（例えば、特許文献１参照）。
【０００４】
【特許文献１】
特開２００１−１８８６０１号公報（図１及び図２）
【０００５】
【発明が解決しようとする課題】
このようなバッチ処理システムにおいては、停電時での制御信号を記憶して次の停電復帰時に再開することを可能にしているが、液体のバッチ処理ラインにおいて液体の供給が何らかの原因で停止している場合には、これを検出して警報あるいは表示するようにし、作業者に知らせるだけとなっており、処理ラインへの液体の供給は作業者が確認後、都度、判定して緊急停止スイッチを押すことにより行っていた。このため、作業者は液体の供給作業中、常時監視する必要があり、作業者が不慣れであると、これを見落とす危険があった。また、このような緊急用停止作業の自動化ができておらず、配管中の圧力上昇により安全性が損なわれる恐れも考えられ、早急な自動化が求められていた。
【０００６】
本発明の目的は、このような求めに答えるとともに監視作業の軽減と作業者の疲労を減少させる処理自動停止装置を得ることである。
【０００７】
【課題を解決するための手段】
本発明の目的は、あらかじめ設定された所定量の液体を得るために供給量を流量計４で計測し、この計測信号を演算処理するバッチ処理システムにおいて、供給量を設定する設定部と流量計４からの計測信号による計測流量が設定入力された量に達すると、供給ポンプ３と開閉バルブ５に供給停止信号を出力するバッチ処理部とこのバッチ処理部にバッチ処理開始信号を出力するスタート操作部とから構成したバッチ処理操作制御ユニット１１をカウンタケース１０に内蔵し、このバッチ処理操作制御ユニット１１をスタート信号入力後に流量計４からの計測信号が設定時間内に入ると、正常と判定して液体の供給を継続させ、設定時間内に入らないと異常と判定して、供給ポンプ３及び開閉バルブ５に停止信号及び閉鎖信号を夫々出力するよう構成し、供給中の液体の供給を停止するようにした処理自動停止装置を提供することで達成される。
【０００８】
また、この目的は、前記構成に加えて、バッチ処理操作制御ユニットは流量計４からの計測信号が設定時間内に入らずに、第一段階で計測信号未到来と判定されると、第二段階に移行し、更に、第二段階においても計測信号が入力されない時に初めて異常と判定して異常信号を出力する構成とすることで、この異常信号により作動する表示灯あるいは警報を発することが可能になる。
【０００９】
【発明の実施の形態】
以下、本発明の実施の形態を図１乃至図３に基づき説明する。図３において、１０は液体を供給するバッチ処理システムのトータル積算供給量と計量毎の積算供給量と設定値とを表示するとともにこの設定値に対する供給出力信号を制御するバッチ処理操作制御ユニット１１を内蔵するカウンタケースである。このカウンタケース１０の前面の上部にはトータル積算供給量と計量毎の積算供給量と設定値を夫々表示する表示部が設けられている。このトータル表示部１２は供給される流体の積算量を表示しており、図１に示す流体供給経路の配管中に配置された流量計４から流体が通過する毎に出力される計測信号を受けてこのトータル量を積算表示するようになっている。その下には計量毎の積算供給量を表示するバッチ表示部１３が設けてあり、これらの下部にはバッチ量をあらかじめ設定するための設定表示部１４が設けられている。この設定表示部１４はバッチ処理システムの自動停止状態において「Ｓｔｏｐ」文字も表示するようになっている。更に、その下にはバッチ処理時に異常が発生すると、この異常により液体の供給が停止したことを示す自動停止表示灯１６が設けられている。これら設定量及び各種の操作は下部にある操作キー１５で入力設定するようになっている。
【００１０】
また、図１には液体を所定量づつ供給する流体供給経路が示してあり、供給される液体を貯蔵する貯蔵タンク１からは第１供給管２を介して供給ポンプ３が接続されている。この供給ポンプ３にはこれから圧送される液体の供給量を計測する流量計４が接続してあり、これには流量経路を開閉する開閉バルブ５が接続されている。この開閉バルブ５には先端に供給端を有する第２供給管６が接続してあり、これの供給端は設定量の液体が貯まる充填容器７に挿入されている。
【００１１】
更に、前記供給ポンプ３と開閉バルブ５にはバッチ処理操作制御ユニット１１を内蔵するカウンタケース１０が電気接続してあり、これら供給ポンプ３及び開閉バルブ５はバッチ処理操作制御ユニット１１からの操作信号により操作されるようになっている。このバッチ処理操作制御ユニット１１は供給量を設定する設定部と流量計４からの計測信号による計測流量が設定部で入力された設定量に達すると、供給ポンプ３と開閉バルブ５とに供給停止信号を出力するバッチ処理部とこのバッチ処理部にバッチ処理開始信号を出力するとともにスタートスイッチ１７を含むスタート操作部とから構成されている。
【００１２】
このバッチ処理操作制御ユニット１１は前記カウンタケース１０の前面に設けられている操作キー１５で設定量が設定されると、これを記憶したり、流量計４からの計測信号を処理してこれを表示するバッチ表示部１３に信号を送ったり、供給作業中の全供給量を表示するトータル表示部１２に信号を送ったり、その他の必要処理信号を送るための処理を行うようになっている。しかも、これらの制御に加えて、この制御ユニット１１はスタート信号入力後に、流量計４からの計測信号が所定時間内に入力されないと異常が発生したと判定し、この信号により、前記供給ポンプ３及び開閉バルブ５を停止及び閉鎖操作する信号を出力するようになっている。
【００１３】
このような構成において、液体の設定量の供給をバッチ処理制御により供給する場合は、図２及び図３において、カウンタケース１０のスタートスイッチ１７をＯＮ状態にする（ステップＳ１）。これによりバッチ処理が開始され、供給ポンプ３の駆動が開始されるとともに開閉バルブ５は開状態となり（ステップＳ２・ステップＳ３）、貯蔵タンク１からの液体は供給ポンプ３により圧送されて流量計４に計測されながら充填容器７に供給される。この動作中、バッチ処理は続行されており（ステップＳ４）、流量計４からの計測信号はバッチ処理操作制御ユニット１１に連続して出力されている（ステップＳ５：ＹＥＳ）。このようにして流量計４からの連続した計測信号が演算処理されてその供給量が設定量に達すると、バッチ処理が終了し（ステップＳ６：ＹＥＳ）、供給ポンプ３及び開閉バルブ５は停止及び閉鎖される（ステップＳ７）。そして、充填容器７には設定量の液体が供給されたことになり、供給１サイクルのバッチ処理が終了する（ステップＳ８）。
【００１４】
一方、スタート信号が入力されて、供給開始から供給終了までの間に何らかの原因により、前記流量計４からあらかじめ設定されている所定時間の間に計測信号が出力されていないと判定されると（ステップＳ５：ＮＯ・ステップＳ９：ＮＯ）、供給ポンプ３及び開閉バルブ５には駆動停止及び閉鎖の出力信号がバッチ処理操作制御ユニット１１から入り、バッチ処理は停止する（ステップＳ１０）。この時、カウンタケース１０の自動停止表示灯１６も点灯（ステップＳ１１）するとともに前記設定表示部１４には「Ｓｔｏｐ」と文字表示され、自動停止状態となる。このようにして、供給停止状態が確認されてから原因追求を行い、原因が解消されてから再度スタートを開始すると、停止状態までの流量は既に記憶されていることから、引き続き計測され、流量が加算されることになる。これにより、再びバッチ処理が続行されて設定量の液体供給が終了し、充填容器７に設定量の液体が充填されることになる。
【００１５】
この制御動作における自動停止機能は通常二段階で検出するようになっており、最初の第一段階で任意の設定時間内（最大３０秒以内）に計測信号が入力されると、正常にバッチ処理が継続されることになるが（ステップＳ５：ＹＥＳ）、反対に計測信号が入力されない、所謂、パルス信号未到来と判定されると（ステップＳ５：ＮＯ）、この信号を受けて第二段階に移行する。この第二段階においては、前記設定時間より更に長い設定範囲の時間（最大１８０秒以内）が設定されており、この設定時間内に計測信号が入力されると、バッチ処理が継続されるが（ステップ９：ＹＥＳ）、これにおいても、引き続き計測信号が入力されない時に初めて自動停止機能が働くように設定されている（ステップＳ９：ＮＯ）。
これにより、供給ポンプ３の駆動及び開閉バルブ５は停止及び閉鎖され、バッチ処理は停止し（ステップＳ１０）、自動停止表示灯１６が点灯するとともに自動停止の「Ｓｔｏｐ」の文字表示がされるようになっている（ステップＳ１１）。
尚、これら設定時間は夫々任意に設定可能となっている。このようにこの実施の形態では、二段階で設定時間を設定し、これにより段階的に信号を出力するようにして供給動作の自動停止を行うようにしているが、二段階目の設定時間をゼロ秒とした場合は、一段階目の時間が経過すると同時に自動停止させることができる。このように二段階での判定となっているのは液体の供給開始時においては、液体の流れが遅いために計測信号が出力されるまでに時間がかかることから、自動停止状態になることのないよう誤動作を防止することを目的とするからである。また、この二段階での自動停止機能が必要ない場合は、二段階に設定することなく、一段階目でこれら全ての動作を行うようにしてもよい。
【００１６】
【発明の効果】
本発明は以上説明した実施の形態から明らかなように、あらかじめ設定された供給量を流量計４で計測し、この計測信号を演算処理するバッチ処理システムにおいて、供給量を設定する設定部と流量計４からの計測流量が設定量に達すると供給ポンプ３と供給バルブ５に供給停止信号を出力するバッチ処理部とこのバッチ処理部にバッチ処理開始信号を出力するスタート操作部とから構成したバッチ処理操作制御ユニット１１をカウンタケース１０に内蔵し、このバッチ処理操作制御ユニット１１をスタート信号入力後に流量計４の計測信号が設定時間内に入ると、正常と判定して液体の供給を継続させ、設定時間内に入らないと異常と判定して、供給ポンプ３及び開閉バルブ５に停止信号及び閉鎖信号を夫々出力するよう構成し、供給中の液体の供給を停止するようにした処理自動停止装置である。
【００１７】
このため、従来は液体のバッチ処理における液体の流れが何らかの原因で停止している場合には、これを検出して警報あるいは表示するだけであったが、本発明により、自動的に供給経路内の液体の供給を停止させることができ、これにより、液体の供給が遮断されているにもかかわらず、供給ポンプが駆動したままとなって液体が供給経路内を圧送されることがなく、経路内の圧力の上昇が低減される。また、リレー等の多くの機器を用いなくても、バッチカウンタ自体に内蔵されている処理操作制御ユニットで異常時の異常処理操作を行うことができるので、安価に製造できるとともに作業の安全性に対する機能が向上する。このため、流量計の故障等により計測信号が出力されない状態で液体が供給されることもなくなり、充填容器からの液体の溢れを未然に防止できる。更に、貯蔵タンク内の液体が空になっている時に供給動作が生じていても、流量計からは計測信号が出力されないので、供給ポンプの空運転を阻止でき、装置の損傷を防止できる。
【００１８】
しかも、バッチ処理操作制御ユニットは流量計４からの計測信号が設定時間内に入らずに、第一段階で計測信号未到来と判定されると、第二段階に移行し、更に、第二段階においても計測信号が入力されない時に初めて異常信号を出力する構成なので、この異常信号により緊急自動停止が必要か否かを正確に且つ高い精度で判定できるとともにこの設定時間の調整も容易になる。その上、二重の異常確認ができることになり、作業者は液体の供給作業の間中、常時監視する必要がなく、作業者の見落としによる操作ミスもなくなり、危険性も解消される等の特有の効果が得られる。
【図面の簡単な説明】
【図１】本発明の実施の形態を示す概略構成図である。
【図２】本発明を示すフローチャート図である。
【図３】本発明を使用したカウンタの前面図である。
【図４】本発明の従来例を示すブロック図である。
【図５】従来例のフローチャート図である。
【符号の説明】
１  貯蔵タンク
２  第１供給管
３  供給ポンプ
４  流量計
５  開閉バルブ
６  第２供給管
７  充填容器
１０  カウンタケース
１１  バッチ処理制御ユニット
１２  トータル表示部
１３  バッチ表示部
１４  設定表示部
１５  操作キー
１６  自動停止表示灯
１７  スタートスイッチ
【図１】
2004265098.tif 000003
【図２】
2004265098.tif 000004
【図３】
2004265098.tif 000005
【図４】
2004265098.tif 000006
【図５】
2004265098.tif 000007